(57)【特許請求の範囲】
【請求項１】
所定の間隔で平行に並ぶ中空な金属製角形筒（１），（１）・・と該金属製角形筒（１），（１）・・に直交して所定の間隔で平行に並ぶ金属製部材（２），（２）・・とからなり、前記金属製角形筒（１），（１）・・あるいは前記金属製部材（２），（２）・・を吊りボルト（３），（３）・・を用いて建物の構造物（２６）から吊り下げるとともに、前記各金属製部材（２），（２）・・を、前記金属製角形筒（１），（１）・・間に架設し、その両端を固定金具（２７）を介して前記金属製角形筒（１），（１）・・の側面（１ｂ）に固着するようにしてなる天井下地構造であって、前記固定金具（２７）は、前記金属製部材（２）の突き合わせ端側にあって前記金属製角形筒（１），（１）・・の側面（１ｂ）に突き合わされる基部（２７a）と、該基部（２７a）の両側から前記金属製部材（２）の両面に沿うように直角に屈曲され、前記金属製部材（２）の両面を抱持する一対の抱持部(２７ｂ),（２７ｂ）と、該一対の抱持部(２７ｂ),（２７ｂ）の一部を前記金属製角形筒（１），（１）・・の側面（１ｂ）に沿うように直角に切り起こした一対の支持部（２７ｄ）,（２７ｄ）とから形成するとともに、前記金属製角形筒（１）,（１）・・の前記金属製部材（２）,（２）・・の両端が突き合わされる突き合わせ面に、当該突き合わせ面を重壁構造とする補強板（３３）を取り付け、該補強板（３３）を介して前記固定金具（２７）の基部(２７a)および一対の支持部（２７ｄ）,（２７ｄ）を前記金属製角形筒（１），（１）・・の側面（１ｂ）に取り付けネジ（２８）,（２８）・・により固着するとともに前記一対の抱持部(２７ｂ),（２７ｂ）を取り付けネジ（２９）,（２９）・・により前記金属製部材（２）,（２）・・の両面に固着したことを特徴とする天井下地構造。
【請求項２】
前記金属製角形筒（１），（１）・・および前記金属製部材（２），（２）・・と、前記吊りボルト（３），（３）・・のうちの選ばれたものの上端部あるいは前記建物の構造物（２６）とを、中空な金属製角形筒からなる斜め補強部材（２０），（２０）で連結したことを特徴とする請求項１記載の天井下地構造。
【請求項３】
前記補強板（３３）を、前記金属製角形筒（１）の上面（１ａ）および前記金属製部材（２）,（２）・・の両端が突き合わされる側面（１ｂ）を覆う形状としたことを特徴とする請求項１又は２のいずれか一項記載の天井下地構造。
【発明の詳細な説明】
【技術分野】
【０００１】
本願発明は、天井下地構造に関し、さらに詳しくは耐震性能を高めた天井下地構造に関するものである。
【背景技術】
【０００２】
従来型の天井下地構造としては、野縁と該野縁と直交する野縁受けとからなり、建物の構造体から吊りボルトで吊り下げて支持され、隣り合う吊りボルト同士をブレース材（筋交い状の部材）で連結することにより、耐震性を強化しているものがある(例えば、特許文献１参照) 。
【先行技術文献】
【特許文献】
【０００３】
【特許文献１】特開２００８−５０７８４号公報
【発明の概要】
【発明が解決しようとする課題】
【０００４】
ところで、上記特許文献１に開示されている天井下地構造の場合、野縁に対して天井仕上げボードが専用のビスで取り付けられることとなっている。また、天井には、照明器具や空調機器等が建物の構造体から吊りボルト等で吊り下げられ、天井開口部に天井仕上げボード面と同じ高さで取り付けられており、建物の竣工後、通常は作業員が天井点検口から天井裏を覗いて照明器具や空調機器等の点検・修理を行うこととなっているが、劇場・ホールや体育館、工場等のように、天井に沢山の照明器具・空調機器等がある場合には、天井裏に人が歩けるぐらいの高さを取って、キャットウォークという点検・修理専用の狭い通路を設けることとなっている。但し、キャットウォークは、全ての天井面を網羅出来るように設置されているわけではないので、やむを得ず従来型の天井下地材の上を作業員が歩いて点検・修理を行っている場合がある。従来型の天井下地材は、人が野縁の上に乗れるような耐荷重構造となっていないので、吊りボルトと野縁あるいは野縁受けとを結合しているハンガーという金具が開いたり、野縁受けが倒れたりして、天井面がガタガタになったり、最悪の場合には、天井下地材と天井仕上げボードが落下してしまうという事故が発生するおそれがある。
【０００５】
そこで、複数の人が乗っても大丈夫なように、予め角形鋼を建物の構造体から吊り下げて、一定間隔に並べたぶどう棚という吊天井構造が採用されている。このような吊天井構造であっても、地震等の激しい揺れに対する耐振性が問題となる場合がある。
【０００６】
上記のような問題に対処するために、上記特許文献１に開示されているように、建物の構造体から吊りボルトで吊り下げて支持され、隣り合う吊りボルト同士をブレース材（筋交い状の部材）で連結することにより、耐振性を強化することが考えられるが、特許文献１に開示されているものは、ブレース材として、断面Ｃ型形状の溝形鋼（チャンネル鋼材）が用いられているため、地震発生時の揺れに対する強度が十分でなく、耐震性の強化に限界があった。また、ブレース材と吊りボルトとの結合部分の構造によっては、十分な耐振性強化が得られない場合が生ずる。
【０００７】
ところで、所定間隔で平行に並ぶ多数の中空な金属製角形筒と該金属製角形筒に直交して所定間隔で平行に並ぶ多数の金属製部材とからなり、前記金属製角形筒あるいは前記金属製部材を吊りボルトを用いて建物の構造物から吊り下げるように構成された天井下地構造において、前記金属製角形筒あるいは前記金属製部材のうちの選ばれたものと前記吊りボルトのうちの選ばれたものの上端部とを、中空な金属製角形筒からなる斜め補強部材で連結することにより、天井下地構造の耐震性能を向上させる試みがなされている（例えば、特願２０１１−１５１８７４号参照）。
【０００８】
しかしながら、上記先願例の場合、斜め補強部材は、金属製角形筒あるいは金属製部材のうちの選ばれたものと吊りボルトのうちの選ばれたものの上端部とを連結する構成とされている（つまり、直交する金属製角形筒と金属製部材との一方のみに斜め補強部材が取り付けられている）が、地震発生時には、縦方向（即ち、Ｙ方向）と横方向（即ち、Ｘ方向）とに同時に揺れるため、耐震性能の向上を図るためには、縦方向（即ち、Ｙ方向）と横方向（即ち、Ｘ方向）との同時揺れに対処できる構造が必要となる。
【０００９】
つまり、直交する金属製角形筒と金属製部材との両方に対して斜め補強部材を取り付ける必要が生ずる。ところが、ぶどう棚を構成する直交状態の金属製角形筒と金属製部材とにおいては、一般的に、縦方向に並ぶ金属製角形筒に対して横方向に並ぶ金属製部材を結合するに際しては、金属製角形筒間に金属製部材を架設し、金属製部材の両端部に取り付けた固定金具を金属製角形筒の側面にネジ等を用いて固定する取り付け構造が採用されている。
【００１０】
そのため、金属製角形筒の厚みが薄い場合には、地震が繰り返されることによって、固定金具を金属製角形筒の側面に取り付けているネジ等が緩んでしまって、金属製角形筒と金属製部材との結合強度が低下するおそれがある。
【００１１】
本願発明は、このような課題を解決するためになされたものであり、天井下地構造を構成する互いに直交する金属製角形筒と金属製部材の結合強度を向上させ、耐震性を向上させることを目的としてなされたものである。
【課題を解決するための手段】
【００１２】
（１）課題を解決するための第１の手段
本願発明では、上記課題を解決するための第１の手段として、所定の間隔で平行に並ぶ中空な金属製角形筒１，１・・と該金属製角形筒１，１・・に直交して所定の間隔で平行に並ぶ金属製部材２，２・・とからなり、前記金属製角形筒１，１・・あるいは前記金属製部材２，２・・を吊りボルト３，３・・を用いて建物の構造物２６から吊り下げるとともに、前記各金属製部材２，２・・を、前記金属製角形筒１，１・・間に架設し、その両端を固定金具２７を介して前記金属製角形筒１，１・・の側面１ｂに固着するようにしてなる天井下地構造であって、前記固定金具２７は、前記金属製部材２の突き合わせ端側にあって前記金属製角形筒１，１・・の側面１ｂに突き合わされる基部２７aと、該基部２７aの両側から前記金属製部材２の両面に沿うように直角に屈曲され、前記金属製部材２の両面を抱持する一対の抱持部２７ｂ,２７ｂと、該一対の抱持部２７ｂ,２７ｂの一部を前記金属製角形筒１，１・・の側面１ｂに沿うように直角に切り起こした一対の支持部２７ｄ,２７ｄとから形成するとともに、前記金属製角形筒１,１・・の前記金属製部材２,２・・の両端が突き合わされる突き合わせ面に、当該突き合わせ面を重壁構造とする補強板３３を取り付け、該補強板３３を介して前記固定金具２７の基部２７aおよび一対の支持部２７ｄ,２７ｄを前記金属製角形筒１，１・・の側面１ｂに取り付けネジ２８,２８・・により固着するとともに前記一対の抱持部２７ｂ,２７ｂを取り付けネジ２９,２９・・により前記金属製部材２,２・・の両面に固着したことを特徴としている。
【００１３】
上記の構成では、前記金属製角形筒１，１・・間に架設される前記金属製部材２,２・・の両端を前記金属製角形筒１，１・・の側面に固着する固定金具２７が、前記金属製部材２の突き合わせ端側にあって前記金属製角形筒１，１・・の側面１ｂに突き合わされる基部２７aと、該基部２７aの両側から前記金属製部材２，２・・の両面に沿うように直角に屈曲され、前記金属製部材２，２・・の両面を抱持する一対の抱持部２７ｂ,２７ｂと、該一対の抱持部２７ｂ,２７ｂの一部を前記金属製角形筒１，１・・の側面１ｂに沿うように直角に切り起こした一対の支持部２７ｄ,２７ｄとからなっている一方、前記金属製角形筒１,１・・の前記金属製部材２,２・・の両端が突き合わされる突き合わせ面には、当該突き合わせ面を重壁構造とする金属製の補強板３３が取り付けられており、同金属製の補強板３３を介して前記固定金具２７の基部２７aおよび一対の支持部２７ｄ,２７ｄを前記金属製角形筒１，１・・の側面１ｂに取り付けネジ２８,２８・・により固着するようになっているとともに前記一対の抱持部２７ｂ,２７ｂを取り付けネジ２９,２９・・により前記金属製部材２,２・・の両面に固着するようになっている。
【００１４】
したがって、金属製部材２の両端を対応する金属製角形筒１，１・・の側面１ｂ，１ｂ・・に対して基部２７aおよび支持部２７ｂ,２７ｂを有する固定金具２７を介して連結するに際して、同固定金具２７の基部２７aおよび支持部２７ｂ,２７ｂが螺着される金属製角形筒１，１・・側の螺着面が重壁構造に補強されて、取り付け部としての強度が大きく向上する。
【００１５】
その結果、取り付けネジ２８,２８・・による固定金具２７の基部２７ａおよび支持部２７ｂ，２７ｂと金属製角形筒１との締め付け強度が向上し、金属製角形筒１，１・・と金属製部材２，２・・との結合強度が向上することになる。
【００１６】
また、上記のように螺着強度が向上することから、たとえ地震が繰り返されたとしても、前記螺着用の取り付けネジ２８,２８・・が緩むということがなくなり、より耐震性能に優れた天井下地構造となる。
【００１７】
また、前記固定金具２７は、前記金属製角形筒１，１・・の側面１ｂ，１ｂ・・に突き合わされる基部２７aの両側から前記金属製部材２，２の・・両面に沿うように直角に屈曲されて前記金属製部材２，２・・の両面を抱持する一対の抱持部２７ｂ,２７ｂを有して構成されており、同一対の抱持部２７ｂ,２７ｂを取り付けネジ２９，２９・・により前記金属製部材２，２・・の連結端側の両面に螺着している。
【００１８】
したがって、前記固定金具２７と金属製部材２，２・・との結合強度も高くなる。しかも、前記金属製角形筒１，１・・の側面１ｂ，１ｂ・・に螺着される一対の支持部２７ｄ,２７ｄは、同一対の抱持部２７ｂ,２７ｂの一部を前記金属製角形筒１，１・・の側面１ｂ，１ｂ・・に沿うように直角に切り起こした一体のものとして形成されている。そのため、前記金属製角形筒１，１・・と金属製部材２，２・・との連結強度が、より向上する。
【００１９】
さらに、前記一対の抱持部２７ｂ,２７ｂの例えば下端側の一部は、必要に応じて相互に対向するように内側に屈曲されるなどして位置決め用の突片２７ｃ，２７ｃが形成される。このようにすると、前記金属製部材２，２・・を前記金属製角形筒１，１・・の側面１ｂ，１ｂ・・に取り付ける際の取り付け作業が容易になる。
【００２０】
（２）課題を解決するための第２の手段
本願発明では、さらに、上記課題を解決するための第２の手段として、上記第１の手段を備えた天井下地構造において、前記金属製角形筒１，１・・および前記金属製部材２，２・・と、前記吊りボルト３，３・・のうちの選ばれたものの上端部あるいは前記建物の構造物２６とを、中空な金属製角形筒からなる斜め補強部材２０，２０で連結したことを特徴としている。
このように構成した場合、前記金属製角形筒１，１・・および前記金属製部材２，２・・と、前記吊りボルト３，３・・のうちの選ばれたものの上端部あるいは前記建物の構造物２６とが前記中空な金属製角形筒からなる斜め補強部材２０，２０により連結され、補強されるので、前記金属製角形筒１，１・・あるいは金属製部材２，２・・の上を作業員が安心して歩くことができるようになる。
また、地震発生時における左右方向の揺れにも対応することができる。特に、斜め補強部材２０，２０が、捩れおよび上下左右方向に対する強度を有する中空な金属製角形筒で構成されているので、耐震性能に優れた天井下地構造となる。
（３）課題を解決するための第３の手段
本願発明では、さらに、上記課題を解決するための第３の手段として、上記第１又は第２の手段を備えた天井下地構造において、前記金属製の補強板３３を、前記金属製角形筒１の上面１ａおよび前記金属製部材２の両端が突き合わされる側面１ｂを覆う形状としたことを特徴としている。
このように構成した場合、最少面積の金属製の補強板３３を使用して、金属製角形筒１，１・・と金属製部材２，２・・との連結強度および地震発生時における取り付けネジ２８,２８・・の緩み止めを達成することができる。
【発明の効果】
【００２１】
以上の結果、本願発明によれば、相互に直交する金属製角形筒および金属製部材の連結強度を向上させることができ、耐震性能に優れた天井下地構造を提供することが可能となる。
【図面の簡単な説明】
【００２２】
【図１】本願発明の第１の実施の形態にかかる天井下地構造を示す全体斜視図である。
【図２】図１に示す天井下地構造における斜め補強部材の取り付け状態を示す拡大斜視図である。
【図３】本願発明の第１の実施の形態にかかる天井下地構造における縦方向の金属製角形筒と、横方向の金属製角形筒との結合構造を示す拡大斜視図である。
【図４】本願発明の第１の実施の形態にかかる天井下地構造における金属製角形筒および斜め補強部材の構造を示す拡大斜視図である。
【図５】本願発明の第１の実施の形態にかかる天井下地構造における下部固定金具を示す拡大斜視図である。
【図６】本願発明の第１の実施の形態にかかる天井下地構造における上部固定金具を示す拡大斜視図である。
【図７】本願発明の第１の実施の形態にかかる天井下地構造において斜め補強部材が取り付けられている縦方向の金属製角形筒とこれと直交する横方向の金属製角形筒との取り付け部位を示す拡大正面図である。
【図８】本願発明の第１の実施の形態にかかる天井下地構造において斜め補強部材が取り付けられている縦方向の金属製角形筒とこれと直交する横方向の金属製角形筒との取り付け部位を示す拡大側面図である。
【図９】（イ）、（ロ）および（ハ）は、本願発明の第１の実施の形態にかかる天井下地構造において斜め補強部材が取り付けられている縦方向の金属製角形筒とこれと直交する横方向の金属製角形筒との取り付け部位を補強する補強板の３種の具体例を示す拡大斜視図である。
【発明を実施するための形態】
【００２３】
以下、添付の図面を参照して、本願発明の実施の形態について説明する。
【００２４】
図１ないし図９には、本願発明の実施の形態にかかる天井下地構造が示されている。
【００２５】
この天井下地構造は、図１に示すように、所定間隔で平行に並ぶ多数の中空な金属製角形筒１，１・・と該金属製角形筒１，１・・の間に架設された状態において該金属製角形筒１，１・・と直交して所定間隔で平行に並ぶ多数の中空な金属製角形筒からなる金属製部材２，２・・とからなり、前記金属製角形筒１，１・・および前記金属製部材２，２・・のうちの選ばれたものを吊りボルト３, ３・・を用いて建物の構造物から吊り下げるように構成されている。そして、前記金属製角形筒１，１・・および前記金属製部材２，２・・のうちの選ばれたものと前記吊りボルト３，３・・のうちの選ばれたものの上端部あるいは後述する建物の構造物（例えば、Ｈ型鋼２６）とは、中空な金属製角形筒からなる斜め補強部材２０，２０で連結されている。符号４は前記金属製角形筒１，１・・の端部を支持する断面コ字状の支持部材、５は前記金属製部材２，２・・に取り付けられた天井板、６は前記金属製角形筒１，１・・に対して直交するチャンネルである。
【００２６】
そして、前記各金属製角形筒１、前記各金属製部材２および前記各斜め補強部材２０は、図４に示すように、所定の幅に切断された金属板をその両端がコーナの一点において接するように四角筒状に折曲して構成された中空な金属板四角筒によって構成されている。前記金属板の一方の端部には、前記金属板角形筒の内側に折曲され、さらにその先端部が外側に向かって折山されてなる逆Ｊ字状折曲部ａ が設けられ、前記金属板の他方の端部には、内側に逆Ｕ字状折曲部ｂが設けられており、両者を連続して嵌合圧着せしめて水平方向に連続するコーナ型接続部ｃとして成形されている。そして、該コーナ型接続部ｃにおける逆Ｕ宇状折曲部ｂの基端から内側に向かってコの字状に突出するリブｄが水平方向に連続して形成されている。このように構成したことにより、金属製角形筒のいずれの四面を、開口形成部およびボード貼付面として選択することが可能となる。また、コーナ型接続部ｃの外れをリブｄにより防止できるとともに金属製角形筒の剛性強化も図れる。
【００２７】
前記各金属製角形筒１には、図２に示すように、前記チャンネル６が挿通された嵌挿穴１１に連続する開口１２が形成されており、該開口１２の口縁には、前記チャンネル６に近接される固定片１３が取り付けられている。このように構成することにより、固定片１３を取り付けることにより、金属製角形筒１へのチャンネル６の組付を容易且つ確実に行うことができる。
【００２８】
ところで、本実施の形態においては、図２および図３に示すように、前記金属製角形筒１，１・・および前記金属製部材２，２・・のうちの選ばれたものと前記吊りボルト３，３・・のうちの選ばれたものの上端部とは、中空な金属製角形筒からなる斜め補強部材２０，２０で連結されている。
【００２９】
前記吊りボルト３の下端部は、図２、図３および図５に示すように、支持金具２５を介して前記金属製角形筒１に支持されている。該支持金具２５は、前記吊りボルト３の下端に対して螺着された下向きコ字状の上部支持金具２５ａと、前記金属製角形筒１を抱持した状態でビス止めされた上向きコ字状の下部支持金具２５ｂとからなっており、該下部支持金具２５ｂの上端部と前記上部支持金具２５ａの下端部とはボルト２５ｃで結合されている。そして、前記上部固定金具２５ｂにおいて前記吊りボルト３が螺着される部位には、上部固定金具２５ｂの変形を防止するための補強板２５ｄが介設されている。このようにすると、金属製角形筒１に過度の荷重が掛かったとしても、上部固定金具２５ｂの変形を防止することができる。
【００３０】
一方、前記吊りボルト３の上端部は、図２および図６に示すように、建物の構造物であるＨ型鋼２６の下部水平片２６ａに取り付けられた箱型の結合金具２３に螺着されている。該結合金具２３は、断面直方体形状の筒体からなっており、その一端側には、前記Ｈ型鋼２６の下部水平片２６ａが挿入される切欠開口２３ａが形成されていて、該切欠開口２３ａに挿入された下部水平片２６ａを前記結合金具２３の下面側から螺着された締付ボルト２３ｂで締め付けることにより取り付けられることとなっている。このようにすると、吊りボルト３による金属製角形筒１を吊り下げる力が強固となり、地震発生時における耐振性を確保することができる。
【００３１】
前記斜め補強部材２０の下端部と前記金属製角形筒１との間には、図５に示すように、該斜め補強部材２０の下端部における相対向する二面を抱持した状態でビス２１ｂ，２１ｂ・・で取り付けられる一対の抱持片２１ａ，２１ａ備えた取り付け手段２１Ａと前記金属製角形筒１に対して結合される結合手段２１Ｂとを備えた下部固定金具２１が介設されている。この場合、前記取り付け手段２１Ａは、前記抱持片２１ａ，２１ａと該抱持片２１ａ，２１ａの下端間を一体に連結する連結片２１ｃにより一体に連結される一方、前記結合手段２１Ｂは、前記金属製角形筒１おける相対向する二面を抱持した状態でビス２１ｄ，２１ｄ・・で取り付けられる一対の抱持片２１ｅ，２１ｅと該抱持片２１ｅ，２１ｅの上端間を一体に連結する連結片２１ｆとからなっており、前記連結片２１ｃと前記連結片２１ｆとはボルト２１ｇで結合されている。このようにすると、斜め補強部材２０の下端部と金属製角形筒１との結合強度が大幅に強化されることとなり、取り付けが簡単になるとともに、より一層耐震性能に優れたものとなる。
【００３２】
続いて、本実施の形態における前記斜め補強部材２０の上端部と前記吊りボルト３の上端部との間に取り付けられる上部固定金具２２の構成について説明する。
【００３３】
前記斜め補強部材２０の上端部と前記吊りボルト３の上端部との間には、図６に示すように、前記斜め補強部材２０の上端部における相対向する二面を抱持した状態で取り付けられる一対の抱持片２２ａ，２２ａを備えた取り付け手段２２Ａと前記吊りボルト３の上端部に対して結合される結合手段２２Ｂとを備えた上部固定金具２２が介設されているが、該上部固定金具２２は、図６に示すように、前記抱持片２２ａ，２２ａの上端を連結片２２ｂで一体に連結してなる断面コ状の取り付け手段２２Ａと、建物の構造物であるＨ型鋼２６の下部水平片２６ａに取り付けられた結合金具２３の相対向する側面に対してボルト２２ｃ，２２ｃで螺着された一対の抱持片２２ｄ，２２ｄに下端を連結片２２ｅで一体に連結してなる断面コ字状の結合手段２２Ｂとからなっており、前記連結片２２ｂと前記連結片２２ｅとをボルト２２ｆを用いて結合して構成されている。
【００３４】
次に、前記金属製部材２（本実施の形態の場合、金属製角形筒）の両端と前記金属製角形筒１の側面との結合構造について、図３および図７〜図９を参照して説明する。
【００３５】
金属製部材２の両端と金属製角形筒１の側面１ｂとは、固定金具２７を介して結合されている。そして、該固定金具２７は、前記金属製角形筒１の側面１ｂに対して取り付けネジ２８により固着（螺着）される基部２７ａと、該基部２７ａの両側から突き当てられる金属製部材２の一端側両面に沿って他端側方向に直角に屈曲して延設され、同金属製部材２の一端側両面に対して取り付けネジ２９により固着（螺着）される一対の抱持部２７ｂ，２７ｂとから構成されており、該一対の抱持部２７ｂ，２７ｂの延設端側における略下半分部分には、前記金属製部材２の連結端側を位置決めする位置決め用突片２７ｃ，２７ｃが相互に対向する内側方向に直角に屈曲されて一体に形成されている。
【００３６】
さらに、前記基部２７ａの両側には、前記一対の抱持部２７ｂ，２７ｂにおける前記基部２７ａ側の一部（中央部）を該基部２７ａと一体に連続するように切り起こして前記金属製角形筒１の側面１ｂに対して取り付けネジ２８により固着する支持部２７ｄ，２７ｄが設けられている。
【００３７】
なお、図３中における符号３０は前記一対の支持部２７ｄ，２７ｄを切り起こした跡に形成される開口部、図８における符号３１は同開口部３０の上下両側に形成された抱持部補強用のビードである。
【００３８】
さらにまた、図３、図７に示すように、前記一対の支持部２７ｄ，２７ｄと前記基部２７ａ部分には、それらに跨がって相互に連続する補強用ビード３２が形成されている。該補強用ビード３２の頂面３２ａは平面とされており、該頂面３２ａには、前記取り付けネジ２８を螺着するためのネジ穴が所定間隔で形成されている。
【００３９】
ところで、上記固定金具２７と金属製角形筒１との取り付け強度を強化する必要があるところから、金属製角形筒１において金属製部材２の両端が突き合わされる部分には、図１０に示す金属製の補強板３３が取り付けられている。この補強板３３としては、図９（イ）に示すように、金属製角形筒１における上面１ａおよび側面１ｂに対して被嵌される水平部３３ａおよび垂直部３３ｂを有する断面Ｌ字状の鋼板製の板材が採用されている。この補強板３３の水平部３３ａの端部には、前記金属製角形筒１の反対側の側面１ｃの上端部に対して引っかけられるリブ３３ｃが一体に延設されている。
【００４０】
また、この補強板３３の他の例としては、図９（ロ）および（ハ）に示すように、断面コ字状の鋼板製の板材を採用することもできる。
【００４１】
要するに、この補強板３３は、金属製角形筒１の少なくとも上面１ａおよび側面１ｂを覆う形状であればよいのである。符号３４は補強板３３を金属製角形筒１に取り付けるための取り付けネジである。
【００４２】
上記したように、金属製角形筒１において金属製部材２の両端が突き合わされる部分に補強板３３を取り付けることにより、当該部分における鉄板の厚さが２枚板のように重壁構造となるところから、固定金具２７を取り付ける取り付け面である金属製角形筒１の側面１ｂの強度が向上し、取り付けネジ２８の締め付け強度が向上する。
【００４３】
その結果、金属製部材２と金属製角形筒１との結合強度が向上し、耐震性能が向上する。
【００４４】
また、地震発生時に揺れが繰り返した場合にも、金属製角形筒１と固定金具２７とを締結している取り付けネジ２８が緩むおそれもなくなり、より一層耐震強度が向上する。
【００４５】
また、前記固定金具２７は、前記金属製角形筒１の側面１ｂに突き合わされる基部２７aの両側から前記金属製部材２の両面に沿うように直角に屈曲、延設されて前記金属製部材２，２・・の両面を抱持する一対の抱持部２７ｂ,２７ｂを有して構成されており、同一対の抱持部２７ｂ,２７ｂを取り付けネジ２９により前記金属製部材２の連結端部側の両面に固着（螺着）している。
【００４６】
したがって、前記金属製部材２との結合強度も高くなる。しかも、前記金属製角形筒１の側面１ｂに螺着される一対の支持部２７ｄ,２７ｄは、同一対の抱持部２７ｂ,２７ｂの一部を前記金属製角形筒１の側面１ｂに沿うように直角に切り起こした一体のものとして形成されている。そのため、前記金属製角形筒１と金属製部材２との結合強度が、より向上する。
【００４７】
さらに、前記一対の抱持部２７ｂ,２７ｂの例えば下端側の一部は、必要に応じて相互に対向するように内側に屈曲されて位置決め用の突片２７ｃ，２７ｃを形成している。したがって、前記金属製部材２の連結端側を前記金属製角形筒１の側面１ｂに取り付ける際の取り付け作業が容易になる。
【００４８】
また、補強板３３を、少なくとも金属製角形筒１の上面１ａおよび側面１ｂを覆う形状とした場合、最少面積の補強板３３を使用して、容易に重壁構造を実現することができ、取り付け用側面1ｂの強度向上、取り付けネジ２８の締め付け強度向上、地震発生時における取り付けネジ２８の緩み止めを達成することができる。
【００４９】
なお、上記した本実施の形態にかかる天井下地構造においては、吊りボルト３は金属製角形筒１，１・・のうちの選ばれたものを吊り下げるように構成されているが、前記金属製部材２，２・・のうちの選ばれたものを吊りボルト３を用いて吊り下げるように構成する場合もある。
【００５０】
また、本実施の形態にかかる天井下地構造においては、斜め補強部材２０は、金属製角形筒１，１・・のうちの選ばれたものと吊りボルト３，３・・のうちの選ばれたものの上端部あるいは建物の構造物（例えば、Ｈ型鋼２６）とを連結するようにしているが、金属製部材２，２・・のうちの選ばれたものと吊りボルト３，３・・のうちの選ばれたものの上端部あるいは建物の構造物（例えば、Ｈ型鋼２６）とを斜め補強部材２０で連結する場合もある。
【００５１】
本願発明は、上記各実施の形態において説明したものに限定されるものではなく、発明の要旨を逸脱しない範囲において適宜設計変更可能なことは勿論である。
【符号の説明】
【００５２】
１は金属製角形筒 
１ａは上面
１ｂは側面
２は金属製部材
３は吊りボルト 
２０は斜め補強部材
２６は建物の構造物（Ｈ型鋼）
２７は固定金具
２８は取り付けネジ
３３は補強板
【図１】
0005957271.tif 000002
【図２】
0005957271.tif 000003
【図３】
0005957271.tif 000004
【図４】
0005957271.tif 000005
【図５】
0005957271.tif 000006
【図６】
0005957271.tif 000007
【図７】
0005957271.tif 000008
【図８】
0005957271.tif 000009
【図９】
0005957271.tif 000010